(57)【要約】【課題】内側窓戸と外側窓戸とを有する窓において、外側窓戸に適用できる窓戸開放制限装置を提供する。【解決手段】本発明の窓戸開放制限装置Ａ１は、窓戸４１の内側面に固定される筐体１と、縦枠部４０３に固定され、窓戸４１の全閉時に窓戸４１の厚み方向において筐体１と重なる筐体２と、一端が筐体１に上下にスライド移動可能、かつ窓戸４１の厚み方向に沿う回動軸１５１周りに回動可能に支持され、他端に被係止部１５２を有する、長手状のアーム部材１５と、筐体２に支持され、窓戸４１の全閉時において、被係止部１５２に係止する進出位置および被係止部１５２に係止しない退避位置を選択できるように往復移動可能な係止部材２２と、筐体２に支持され、係止部材２２を往復移動させる駆動機構２３と、を備える。【選択図】図１５
2014169585.tif 000002
【特許請求の範囲】
【請求項１】
縦枠部および横枠部を有する窓枠と、この窓枠に嵌め込まれ、スライド移動する窓戸と、を備える窓に用いる窓戸開放制限装置であって、
上記窓戸の内側面に固定される第１筐体と、
上記縦枠部に固定され、上記窓戸の全閉時に上記窓戸の厚み方向において上記第１筐体と重なる第２筐体と、
一端が上記第１筐体に上下にスライド移動可能、かつ上記窓戸の厚み方向に沿う回動軸周りに回動可能に支持され、他端に被係止部を有する、長手状のアーム部材と、
上記第２筐体に支持され、上記窓戸の全閉時において、上記被係止部に係止する進出位置および上記被係止部に係止しない退避位置を選択できるように往復移動可能な係止部材と、
上記第２筐体に支持され、上記係止部材を往復移動させる駆動機構と、
を備えることを特徴とする、窓戸開放制限装置。
【請求項２】
上記被係止部は、上記窓戸の厚み方向一方側に突出しており、上記窓戸の全閉時において上記第２筐体の内部に臨む、請求項１に記載の窓戸開放制限装置。
【請求項３】
上記駆動機構は、上記係止部材を上記退避位置と上記進出位置との間で上下に往復移動させるソレノイドを含む、請求項２に記載の窓戸開放制限装置。
【請求項４】
上記第１筐体に支持され、上記アーム部材を上下方向における上記一端側に向けて付勢する付勢部材を備える、請求項１ないし３のいずれかに記載の窓戸開放制限装置。
【請求項５】
上記アーム部材の上記一端の上下方向へのスライド移動長さを調整するストローク調整手段を備える、請求項１ないし４のいずれかに記載の窓戸開放制限装置。
【請求項６】
上記アーム部材または上記第１筐体に設けられた追加の被係止部と、
上記第２筐体に支持され、上記窓戸の全閉時において、上記追加の被係止部に係止する進出位置および上記追加の被係止部に係止しない退避位置を選択できるように往復移動可能な追加の係止部材と、上記第２筐体に支持され、上記追加の係止部材を往復移動させる追加の駆動機構と、をさらに備える、請求項１ないし５のいずれかに記載の窓戸開放制限装置。
【請求項７】
上記窓戸が全閉状態であることを検知する検知手段をさらに備える、請求項１ないし６のいずれかに記載の窓戸開放制限装置。
【発明の詳細な説明】
【技術分野】
【０００１】
本発明は、窓戸が所定以上開かない開放制限状態を選択できる窓戸開放制限装置に関する。
【背景技術】
【０００２】
この種の窓戸開放制限装置は、たとえば特許文献１に提案され、病院や施設等において、危険防止や防犯の目的で用いられる。同文献に提案された窓戸開放制限装置は、窓枠に固定される本体と、この本体から必要に応じて外向きに突出する状態と退避する状態を選択できる係止部材と、窓戸の内側に固定され、係止部材に係止しうるドグとを備える。
【０００３】
窓戸が全閉状態にあるときに係止部材を突出させると、窓戸は、所定の開き状態までスライドしたときにドグが係止部材に当接し、それ以上開き方向にスライドすることができなくなる。一方、係止部材が退避していると、ドグと係止部材との干渉がなくなり、窓戸は全開状態までスライドすることができる。
【０００４】
窓が、内側窓戸と外側窓戸の２枚の窓戸で構成される場合、上記した特許文献１の窓戸開放制限装置は、外側窓戸を窓枠に固定してスライド移動不能とし、スライド移動可能とした内側窓戸の開放制限を行う場合に使用可能であっても、外側窓戸の開放制限を行う場合には、使用が困難であるという問題があった。すなわち、本体は窓枠の室内側に取り付けられることから、突出させた係止部材が外側窓戸もしくはこれに取り付けたドグに届くようにするには、係止部材の突出、退避間のストロークを大きくせざるをえず、強度的に問題があるとともに、本体を室内側に大きく突出した大型のものにする必要があり、現実的ではないからである。
【０００５】
【特許文献１】特開２００３−７４２４７号公報
【発明の概要】
【発明が解決しようとする課題】
【０００６】
本発明は、上記した事情のもとで考え出されたものであって、内側窓戸と外側窓戸とを有する窓において、外側窓戸に適用できる窓戸開放制限装置を提供することをその課題とする。
【課題を解決するための手段】
【０００７】
上記課題を解決するため、本発明では、次の技術的手段を講じている。
【０００８】
本発明によって提供される窓戸開放制限装置は、縦枠部および横枠部を有する戸枠と、この窓枠に嵌め込まれ、スライド移動する窓戸と、を備える窓に用いる窓戸開放制限装置であって、上記窓戸の内側面に固定される第１筐体と、上記縦枠部に固定され、上記窓戸の全閉時に上記窓戸の厚み方向において上記第１筐体と重なる第２筐体と、一端が上記第１筐体に上下にスライド移動可能、かつ上記窓戸の厚み方向に沿う回動軸周りに回動可能に支持され、他端に被係止部をする、長手状のアーム部材と、上記第２筐体に支持され、上記窓戸の全閉時において、上記被係止部に係止する進出位置および上記被係止部に係止しない退避位置を選択できるように往復移動可能な係止部材と、上記第２筐体に支持され、上記係止部材を往復移動させる駆動機構と、を備えることを特徴としている。
【０００９】
本発明の好ましい実施の形態においては、上記被係止部は、上記窓戸の厚み方向一方側に突出しており、上記窓戸の全閉時において上記第２筐体の内部に臨む。
【００１０】
本発明の好ましい実施の形態においては、上記駆動機構は、上記係止部材を上記退避位置と上記進出位置との間で上下に往復移動させるソレノイドを含む。
【００１１】
本発明の好ましい実施の形態においては、上記第１筐体に支持され、上記被係止部材を上下方向における上記一端側に向けて付勢する付勢部材を備える。
【００１２】
本発明の好ましい実施の形態においては、上記アーム部材の上記一端の上下方向へのスライド移動長さを調整するストローク調整手段を備える。
【００１３】
本発明の好ましい実施の形態においては、上記アーム部材または上記第１筐体に設けられた追加の被係止部と、上記第２筐体に支持され、上記窓戸の全閉時において、上記追加の被係止部に係止する進出位置および上記追加の被係止部に係止しない退避位置を選択できるように往復移動可能な追加の係止部材と、上記第２筐体に支持され、上記追加の係止部材を往復移動させる追加の駆動機構と、をさらに備える。
【００１４】
本発明の好ましい実施の形態においては、上記窓戸が全閉状態であることを検知する検知手段をさらに備える。
【００１５】
本発明のその他の特徴および利点は、添付図面を参照して以下に行う詳細な説明によって、より明らかとなろう。
【図面の簡単な説明】
【００１６】
【図１】本発明の第１実施形態に係る窓戸開放制限装置が設置された窓を室内側から見た正面図である。
【図２】外側窓戸が開いた状態を示す図１と同様の図である。
【図３】図２のＩＩＩ−ＩＩＩ線に沿う部分拡大断面図である。
【図４】第１筐体の内部の構造を示す正面図である。
【図５】図４の右側面図である。
【図６】図４のＶＩ−ＶＩ線に沿う部分拡大断面図である。
【図７】図４のＶＩＩ−ＶＩＩ線に沿う部分拡大断面図である。
【図８】図４のＶＩＩＩ−ＶＩＩＩ線に沿う部分拡大断面図である。
【図９】第２筐体の内部の構造を示す正面図であり、オフ状態を示す。
【図１０】図９の右側面図である。
【図１１】図１０のＸＩ−ＸＩ線に沿う部分拡大断面図である。
【図１２】第２筐体の内部の構造を示す正面図であり、オン状態を示す。
【図１３】窓戸開放制限装置の右側面図である。
【図１４】全閉検出機構の作動を説明するための図１１と同様の断面図である。
【図１５】窓戸開放制限装置の作動を説明するための正面図である。
【図１６】本発明の第２実施形態に係る窓戸開放制限装置が設置された窓を室内側から見た正面図である。
【図１７】図１６のＸＶＩＩ−ＸＶＩＩ線の部分拡大矢視図である。
【図１８】窓戸開放制限装置の作動を説明するための正面図である。
【図１９】窓戸開放制限装置の作動を説明するための正面図である。
【発明を実施するための形態】
【００１７】
以下、本発明の好ましい実施の形態につき、図面を参照して具体的に説明する。
【００１８】
図１〜図１５は、本発明の第１実施形態に係る窓戸開放制限装置を示している。図１、図２に表れているように、この窓戸開放制限装置Ａ１は、外側窓戸４１と内側窓戸４２とを有する窓４に用いられる。建物の窓開口４０には、たとえば、アルミニウム材でできた窓枠４００が装着され、この窓枠４００には、外側窓戸４１と内側窓戸４２とがそれぞれ左右方向にスライド移動可能に装着される。通常、全閉状態において、室内側からみて左側に外側窓戸４１が、右側に内側窓戸４２が、それぞれ位置する。外側窓戸４１と内側窓戸４２は、それぞれ、たとえばアルミニウム材でできた戸枠４１０，４２０にガラス板４１５，４２５が嵌め込まれて構成され、窓枠４００に形成された外側軌道４０１と内側軌道４０２（図３参照）に沿ってスライド移動可能である。
【００１９】
窓戸開放制限装置Ａ１は、外側窓戸４１の戸枠４１０の左側縦枠４１１の内側面に固定された筐体１（第１筐体）と、窓枠４００に固定された筐体２（第２筐体）と、を備える。
【００２０】
筐体１は、たとえば、アルミニウムによって構成された縦長矩形ボックス状をしており、背板１０および正面カバー１１を有する。筐体１は、背板１０に開けた孔に通したねじ（いずれも図示略）を左側縦枠４１１にねじ付けるなどして固定される。
【００２１】
筐体１の内部には、支持バー１２，１３，１４を介してアーム部材１５が支持されている。上記支持バー１２，１３，１４、およびアーム部材１５は、所定の強度を有する金属材料からなる。詳細は後述するが、支持バー１２は背板１０に固定され、支持バー１３は支持バー１２に対して上下位置調整可能に支持され、支持バー１４は支持バー１３に対して左右位置調整可能に支持されている。
【００２２】
図４、図６に表れているように、支持バー１４は、横断面略コの字状とされており、上下方向に延びている。支持バー１４の正面側および背面側の各板部には、上下方向に所定長さの長穴１４１，１４２が形成されている。
【００２３】
アーム部材１５は、所定方向に延びる長手状とされている。アーム部材１５の上端（一端）には、窓戸の厚み方向に沿う回動軸１５１が設けられており、この回動軸１５１が支持バー１４の長穴１４１，１４２に遊嵌されている。これにより、アーム部材１５の上端は、長穴１４１，１４２に沿って上下にスライド移動可能、かつ窓戸の厚み方向に沿う回動軸１５１周りに回動可能に支持されている。
【００２４】
図６に表れているように、支持バー１４および正面カバー１１の左端は開口する一方、これらの右端は壁面によって閉じている。このため、アーム部材１５は、上下に真っ直ぐ延びる姿勢（下端が上端の真下にある位置）から回動軸１５１を中心として時計回り（図４中矢印Ｎ１方向）に回動可能である。
【００２５】
図４、図５に表れているように、本実施形態では、アーム部材１５の上端には引張コイルばね１６の一端が連結されており、引張コイルばね１６の他端は、支持バー１４の上端に支持されている。かかる構成により、アーム部材１５の上端は、引張コイルばね１６によって上方に向けて付勢されている。
【００２６】
アーム部材１５の下端には、外側窓戸４１の厚み方向一方側に突出するロック軸１５２（被係止部）が設けられている。ロック軸１５２は、正面カバー１１に形成された開口１１ａを通じて筐体１の外部まで延びている。ロック軸１５２の先端には、他の部位より大径なつば部１５２Ａが設けられている。詳細は後述するが、ロック軸１５２は、外側窓戸４１の全閉時に筐体２の内部に臨み、筐体２の内部に収容された係止部材２２によって係止されうる部分である。
【００２７】
図４、図７に表れているように、支持バー１２の下部には、上下方向に離間する一対の起立片１２１が設けられており、支持バー１３には、上記一対の起立片１２１間において起立片１３１が設けられている。起立片１２１には貫通孔１２１ａが形成されており、当該貫通孔１２１ａには、調整ねじ１２２が、上下方向の移動が阻止された状態で挿通している。調整ねじ１２２は、起立片１３１に形成されたねじ孔１３１ａに螺合している。また、支持バー１３の上部には厚み方向に貫通し、上下方向に延びる長穴１３２が形成されており、支持バー１２の上部には、厚み方向に貫通する貫通孔１２３が形成されている。これら貫通孔１２３および長穴１３２には、背板１０に設けられた突起１０１が挿通している。かかる構成により、調整ねじ１２２を回すと、起立片１２１，１２１（支持バー１２）に対して起立片１３１（支持バー１３）の上下位置を調整することができる。
【００２８】
図４、図８に表れているように、支持バー１３の上部および下部の左右両側には、一対ずつの起立片１３３，１３４が設けられている。また、支持バー１４の上部および下部の左右両側には、一対ずつの起立片１４３，１４４が設けられている。起立片１３３には貫通孔１３３ａが形成されており、当該貫通孔１３３ａには、調整ねじ１３５が、左右方向の移動が阻止された状態で挿通している。調整ねじ１３５は、起立片１４３に形成されたねじ孔１４３ａに螺合している。図示説明は省略するが、起立片１３４においても、起立片１３３と同様に貫通孔が形成されており、当該貫通孔に左右方向の移動が阻止された状態で調整ねじ１３６が挿通している。調整ねじ１３６は、起立片１４４に形成されたねじ孔に螺合している。このような構成により、調整ねじ１３５，１３６を回すと、起立片１３３，１３４（支持バー１３）に対して起立片１４３，１４４（支持バー１４）の左右位置を調整することができる。なお、左右位置調整および上下位置調整が不要である場合には、支持バー１２、１３に相当する部材を設ける必要はない。
【００２９】
図４、図５に表れているように、本実施形態では、支持バー１４の下端には、ラッチ１７が設けられている。ラッチ１７は、支持バー１４の下端に設けられた起立片１４４，１４５と、アーム部材１５の下端と、調整ねじ１３６とで囲まれた空間に収容されている。ラッチ１７は、たとえば、圧縮コイルばね１８により、常時アーム部材１５側である上方に付勢されている。ラッチ１７の上端には凸部１７１が形成されており、アーム部材１５の下端縁には、凸部１７１が嵌入しうる凹部１５３が形成されている。このような構成により、凹部１５３に凸部１７１が嵌入する状態からアーム部材１５を回動させるには、圧縮コイルばね１８の付勢力に抗して、アーム部材１５に対して時計回り回動方向への外力を与える必要がある。
【００３０】
図９、図１０に表れているように、筐体２は、たとえば、アルミニウムによって構成された縦長矩形ボックス状をしており、背板２０および正面カバー２１を有する。図１〜図３に表れているように、筐体２は、窓枠４００の左側縦枠部４０３に固定されており、より詳細には、窓戸４１，４２のスライド移動方向面内の内側において内側軌道４０２に沿うようにステー２７を介して設けられている。そして、図１、図３に表れているように、外側窓戸４１の全閉時には、筐体２は、窓戸４１，４２の厚み方向において、筐体１と重なっている。図１０に表れているように、筐体２の下部右側面には、外部に通じる開口２ａが形成されている。開口２ａは、アーム部材１５下端のロッド軸１５２を筐体２の内部に進入させるための通路である。
【００３１】
筐体２の内部には、上下方向に往復移動可能に支持された係止部材２２と、この係止部材２２を往復移動させるためのソレノイド２３とが設けられている。
【００３２】
ソレノイド２３は、図９、図１０に表れているように、本体部２３１と、この本体部２３１の中心部に貫通状に保持された駆動軸２３２とを備え、本体部２３１に対して軸線が上下方向に延びるようにして筐体２に支持されている。このソレノイド２３は、通電時に駆動軸２３２が図１２に示されるように下方に向けて押し出され、非通電時に内蔵されたばねによって駆動軸２３２が図９、図１０に示されるように上方に復帰動する単動式である。
【００３３】
係止部材２２は、その基端（上端）がソレノイド２３の駆動軸２３２に連結されており、先端（下端）にはＵ字状の係止部２２１が設けられている。詳細は後述するが、係止部２２１は、アーム部材１５のロック軸１５２を挟んで当該ロック軸１５２を係止するためのものである。ソレノイド２３の通電時において、駆動軸２３２は下方に押し出され、これに伴って係止部材２２は下方に進出する進出位置をとる（図１２参照）。一方、ソレノイドの非通電時においては、駆動軸２３２は上方に引き込まれ、これに伴って係止部材２２は上方に退避する退避位置をとる（図９、図１０参照）。
【００３４】
図１、図３を参照して上述したように、外側窓戸４１が全閉状態にあるとき、筐体１，２は、窓戸の厚み方向に重なっている。このとき、筐体１に設けられたアーム部材１５の下端に位置するロック軸１５２は、筐体２の開口２ａを通じて当該筐体２の内部に臨んでいる。ここで、ソレノイド２３が非通電状態であるとき、係止部材２２は上方に退避する退避位置にあり、ロック軸１５２は係止部材２２の下方に位置している。このとき、係止部２２１は、ロック軸１５２と係合していない。この状態においてソレノイド２３に通電がなされると、係止部材２２は下方に移動して進出位置をとり、係止部材２２の下端にある係止部２２１は、アーム部材１５のロック軸１５２を挟んで当該ロック軸１５２を係止する（図１２、図１３参照）。
【００３５】
筐体２内にはまた、ソレノイド２３の通電時に、駆動軸２３２が正常に押し出されているかどうかを検出するためのマイクロスイッチ２４が設置されている。
【００３６】
本実施形態の窓戸開放制限装置Ａ１においてはまた、外側窓戸４１が全閉状態にあることを検出する全閉検出機構３が付加されている。この全閉検出機構３は、図１１に表れているように、筐体２内に設けられたマイクロスイッチ３１と、マイクロスイッチ３１に機械的に作用するラッチ３２とを含んで構成されている。ラッチ３２は筐体２に回動可能に支持されており、当該ラッチ３２の回動動作に応じて、筐体２の下部背面側に形成された開口２ｂから出没する。ラッチ３２は、たとえば、ねじりコイルばね３３により、常時開口２ｂから突出する方向に付勢されている。図３に表れているように、突出状態にあるラッチ３２は、外側窓戸４１が開いた状態から閉じる方向にスライド移動するときに、筐体１の正面カバー１１に干渉する位置にある。そして、外側窓戸４１が全閉状態となって筐体１，２が窓戸の厚み方向に重なるときに、ラッチ３２は、筐体１の正面カバー１１が当接することにより、ねじりコイルばね３３の付勢力に抗して筐体２内に退避する方向に回動させられる。ラッチ３２が退避するとマイクロスイッチ３１に作用し、外側窓戸４１の全閉状態が検出される（図１４参照）。
【００３７】
ソレノイド２３から延びる導線（図示略）、およびマイクロスイッチ２４，３１から延びる信号線（図示略）は、筐体２から引き出され、図示しない中央管理装置まで配線されている。
【００３８】
次に、上記構成の窓戸開放制限装置Ａ１の作動を説明する。
【００３９】
窓戸開放制限装置Ａ１がオフの場合、すなわち、ソレノイド２３が非通電状態のときには、図９、図１０に示すように、ソレノイド２３の駆動軸２３２は上方に引き込まれた状態にあり、係止部材２２は上方に退避する退避位置をとる。このように係止部材２２が退避する状態においては、係止部材２２の係止部２２１はアーム部材１５のロック軸１５２に係止しないので、外側窓戸４１は全閉状態から全開状態へとスライド移動させることができる。
【００４０】
外側窓戸４１の全閉時において、窓戸開放制限装置Ａ１をオンとすると、すなわち、ソレノイド２３を通電状態とすると、図１２、図１３を参照して上述したように、ソレノイド２３の駆動軸２３２が進出し、これに伴い、係止部材２２は下方に進出して進出位置をとる。このとき、係止部材２２の下端にある係止部２２１は、アーム部材１５のロック軸１５２を挟んでおり、当該ロック軸１５２を係止する（図１５（ａ）参照）。この状態においては、外側窓戸４１を全閉状態から開いていくと、アーム部材１５のロック軸１５２（下端）は、係止部２２１（係止部材２２）によって係止されたままであるので、アーム部材１５は、その上端が支持バー１４の長穴１４１，１４２に沿って下方にスライド移動しつつ、回動軸１５１を中心として時計回りに回動する。そして、外側窓戸４１を所定寸法開方向にスライドすると、図１５（ｂ）に示すように、アーム部材１５の回動軸１５１が長穴１４１，１４２の下縁に当接し、外側窓戸４１は、それ以上開方向にスライド移動できなくなる。このように、本実施形態の窓戸開放制限装置Ａ１によれば、外側窓戸４１の開方向への所定以上のスライド移動を制限することができる。
【００４１】
窓枠４００側に固定する筐体２を、内側軌道４０２に沿うようにして左側縦枠部４０３に固定したので、筐体２が窓枠４００から室内側に張り出すことを抑制することができ、窓戸開放制限装置Ａ１の取り付けの自由度を高めることができる。
【００４２】
また、筐体２を左側縦枠部４０３（縦枠部）に固定する構成によれば、外側窓戸４１の動きを止めるための係止部２２１の位置を、窓枠４００の高さ方向における中央付近に設定することができる。このような構成によれば、たとえば外側窓戸４１を係止するための筺体を窓枠４００の上下横枠部４０４，４０５等に固定する場合に比べて、開放制限時に外側窓戸４１に作用する荷重の偏りを抑制することができる。
【００４３】
本実施形態では、外側窓戸４１が全閉状態にあることを検知する全閉検出機構３が設けられているので、外側窓戸４１が全閉状態にあるときに窓戸開放制限装置Ａ１をオンとすることができ、全閉状態にないとき、たとえば、全開状態にあるときには窓戸開放制限装置Ａ１をオンとすることができないように制御することができる。これにより、外側窓戸４１がたとえば全開状態にあるときに係止部材２２が進出状態となり、この係止部材２２がロック軸１５２に干渉して、外側窓戸４１の閉方向へのスライド移動が阻害され、外側窓戸４１の全閉状態が実現できなくなるといった不具合を回避することができる。
【００４４】
アーム部材１５は、筐体１内に収容されているとき、上端が引張コイルばね１６によって、下端が圧縮コイルばね１８によって、それぞれ上方に向けて付勢されている。このため、外側窓戸４１を全閉状態から全開状態まで制限なく自由にスライド移動させる場合において、アーム部材１５が筐体１内に収容された状態が適切に維持され、たとえばアーム部材１５が回動軸１５１周りに回動して筐体１の外部に出てくるといった不具合を回避することができる。さらに、本実施形態のように、圧縮コイルばね１８によって上方に付勢されたラッチ１７の凸部１７１がアーム部材１５の下端の凹部１５３に嵌入する構成によれば、アーム部材１５が筺体１内に収容された状態をより確実に維持することができる。
【００４５】
アーム部材１５の上下スライド移動範囲は、アーム部材１５の回動軸１５１が上下移動しうる、支持バー１４に形成された長穴１４１，１４２によって規定される。本実施形態では、支持バー１３およびこれに支持された支持バー１４について、調整ねじ１２２を回すことにより、上下位置を調整することが可能である。したがって、この上下位置調整によってアーム部材１５の上下スライド移動長さを調整することができ、当該スライド移動長さの調整に応じて、外側窓戸４１の開放制限幅を調整することができる。
【００４６】
さらに、本実施形態では、ソレノイド２３の通電時に駆動軸２３２が正常に押し出し動作をしているかどうかを検出するマイクロスイッチ２４が設けられているので、窓戸開放制限装置Ａ１がオンとなっているにもかかわらず、係止部材２２が進出状態をとることができない異常、および、窓戸開放制限装置Ａ１がオフとなっているにもかかかわらず、係止部材２２が進出状態のままとなっている異常を検出することができる。
【００４７】
図１６〜図１９は、本発明の第２実施柄形態に係る窓戸開放制限装置を示している。なお、これらの図において、上記実施形態と同一または類似の要素には、上記実施形態と同一の符号を付しており、適宜説明を省略する。
【００４８】
本実施形態の窓戸開放制限装置Ａ２は、筐体１において、追加の被係止部としてのロック軸１１１が設けられ、筐体２において、追加の係止部材２５および追加の駆動機構としてのソレノイド２６が設けられている。本実施形態では、これらロック軸１１１、係止部材２５、ソレノイド２６が追加されることに伴い、多少の変更がなされているが、他の構成については実質的に上記実施形態と同様である。本実施形態を説明するための図面について、筐体１，２の内部構造の記載は省略し、主に動作を理解するうえで必要な内容を簡略化して表した。
【００４９】
図１７に示すように、ロック軸１１１は、筐体１の正面カバー１１から外側窓戸４１の厚み方向に突出するように設けられている。ロック軸１１１の窓戸の厚み方向への突出長さは、ロック軸１５２の当該突出長さと同程度である。ロック軸１１１の先端には大径なつば部１１１Ａが設けられている。ロック軸１１１は、外側窓戸４１の全閉時に筐体２の内部に臨み、筐体２の内部に収容された係止部材２５によって係止されうる部分である。
【００５０】
筐体２は、上記実施形態に比べて上下方向寸法が大であり、係止部材２５およびソレノイド２６は、係止部材２２およびソレノイド２３よりも上位に配置されている。筐体２の上部右側面には、外部に通じる開口２ｃが形成されている。開口２ｃは、筐体１のロック軸１１１を筐体２の内部に進入させるための通路である。
【００５１】
本実施形態において、係止部材２５およびソレノイド２６は、上記実施形態の係止部材２２およびソレノイド２３と同様の構造であるが、動作する方向が係止部材２２およびソレノイド２３と上下方向において入れ替わっている。すなわち、ソレノイド２６は、通電時に駆動軸２６２が上方に向けて押し出され、非通電時に内蔵されたばねによって本体部２６１に引き込まれる。係止部材２５は、その基端（下端）がソレノイド２６の駆動軸２６２に連結されており、先端（上端）にはＵ字状の係止部２５１が設けられている。
【００５２】
外側窓戸４１が全閉状態にあるとき、筐体１に設けられたロック軸１１１は、筐体２の開口２ｃを通じて当該筐体２の内部に臨んでいる。ここで、ソレノイド２６が非通電状態であるとき、係止部材２５は下方に退避する退避位置にあり、ロック軸１１１は係止部材２５の上方に位置している。このとき、係止部２５１は、ロック軸１１１と係合していない。この状態においてソレノイド２６に通電がなされると、係止部材２５は上方に移動して進出位置をとり、係止部材２５の上端にある係止部２５１は、筐体１のロック軸１１１を挟んで当該ロック軸１１１を係止する。
【００５３】
本実施形態の窓戸制限装置Ａ２においては、２つのソレノイド２３，２６のオンオフ制御によって以下に説明する３通りの使用態様が可能である。
【００５４】
まず、ソレノイド２３，２６のいずれもがオフの場合、ソレノイド２３，２６の駆動軸２３２，２６２は引き込まれた状態にあり、係止部材２２，２５は退避する退避位置をとる。このように係止部材２２，２５が退避する状態においては、係止部材２５の係止部２５１は筐体１のロック軸１１１に係止しないので、外側窓戸４１は全閉状態から全開状態へとスライド移動させることができる。
【００５５】
次に、外側窓戸４１の全閉時において、ソレノイド２３をオンとし、ソレノイド２６をオフとすると、ソレノイド２３の駆動軸２３２が進出し、これに伴い、係止部材２２は下方に進出して進出位置をとる。このとき、係止部材２２の下端にある係止部２２１によってアーム部材１５のロック軸１５２が係止される（図１８参照）。この状態においては、ソレノイド２６がオフであることから、係止部材２５は退避位置にあり、筐体２に対してロック軸１１１（筐体１）の移動が阻止されることはない。ここで、外側窓戸４１を全閉状態から開いていくと、アーム部材１５は、その上端が支持バー１４の長穴１４１，１４２に沿って下方にスライド移動しつつ、回動軸１５１を中心として時計回りに回動する。そして、外側窓戸４１を所定寸法開方向にスライドすると、アーム部材１５の回動軸１５１が長穴１４１，１４２の下縁に当接し、外側窓戸４１は、それ以上開方向にスライド移動できなくなる。このように、本実施形態の窓戸開放制限装置Ａ２によれば、ソレノイド２３をオンにし、かつソレノイド２６をオフにすることにより、外側窓戸４１の開方向への所定以上のスライド移動を制限することができる。
【００５６】
次に、外側窓戸４１の全閉時において、ソレノイド２３，２６のいずれもオンとすると、ソレノイド２３，２６の駆動軸２３２，２６２が進出し、これに伴い、係止部材２２，２５は進出して進出位置をとる。このとき、係止部材２２，２５の先端にある係止部２２１，２５１によって、アーム部材１５のロック軸１５２および筐体１のロック軸１１１が係止される（図１９参照）。この状態においては、筐体２に対してロック軸１１１（筐体１）の移動が阻止されており、外側窓戸４１を開方向にスライドさせることができない。したがって、窓戸開放制限装置Ａ２によれば、ソレノイド２３，２６のいずれもオンとすることにより、外側窓戸４１の全閉状態を維持して施錠状態とすることができる。
【００５７】
本発明に係る窓戸開放制限装置は、上述した実施形態に限定されるものではない。本発明にかかる窓戸開放制限装置の各部の具体的な構成は、種々に設計変更自在である。
【００５８】
上記実施形態においては、筐体１（第１筐体）を外側窓戸４１に固定した場合を例に挙げて説明したが、第１筐体を内側窓戸に固定する構成としてもよい。
【符号の説明】
【００５９】
Ａ１，Ａ２      窓戸開放制限装置
１        筺体（第１筐体）
１０      背板
１０１    突起
１１      正面カバー
１１１    ロック軸（追加の被係止部）
１２      支持バー
１２１    長穴
１２２    長穴
１２３    貫通孔
１３      支持バー
１３１    起立片
１３１ａ    ねじ孔
１３２    長穴
１３３    起立片
１３３ａ    貫通孔
１３４    起立片
１３５，１３６    調整ねじ
１４      支持バー
１４１，１４２    長穴
１４３    起立片
１４３ａ    ねじ孔
１４４，１４５    起立片
１５      アーム部材
１５１    回動軸
１５２    ロック軸（被係止部）
１５２Ａ    つば部
１６      引張コイルばね（付勢部材）
１７      ラッチ
１７１    凸部
１８      圧縮コイルばね（付勢部材）
２        筐体（第２筐体）
２ａ，２ｂ，２ｃ    開口
２０      背板
２１      正面カバー
２２      係止部材
２２１    係止部
２３      ソレノイド
２３１    本体部
２３２    駆動軸
２４      マイクロスイッチ
２５      係止部材（追加の係止部材）
２５１    係止部
２６      ソレノイド（追加の駆動機構）
２６１    本体部
２６２    駆動軸
２７      ステー
３        全閉検出機構
３１      マイクロスイッチ
３２      ラッチ
３３      ねじりコイルばね
４        窓
４０      窓開口
４００    窓枠
４０１    外側軌道
４０２    内側軌道
４０３    左側縦枠部（縦枠部）
４０４，４０５    横枠部
４１      外側窓戸
４１０    戸枠
４１１    左側縦枠
４１５    ガラス板
４２      内側窓戸
４２０    戸枠
４２５    ガラス板
【図１】
2014169585.tif 000003
【図２】
2014169585.tif 000004
【図３】
2014169585.tif 000005
【図４】
2014169585.tif 000006
【図５】
2014169585.tif 000007
【図６】
2014169585.tif 000008
【図７】
2014169585.tif 000009
【図８】
2014169585.tif 000010
【図９】
2014169585.tif 000011
【図１０】
2014169585.tif 000012
【図１１】
2014169585.tif 000013
【図１２】
2014169585.tif 000014
【図１３】
2014169585.tif 000015
【図１４】
2014169585.tif 000016
【図１５】
2014169585.tif 000017
【図１６】
2014169585.tif 000018
【図１７】
2014169585.tif 000019
【図１８】
2014169585.tif 000020
【図１９】
2014169585.tif 000021